(57)【要約】【課題】  教育機関において再試験等のために解答用紙をコピーする手間、並びにコストを少なくできる解答用紙提供方法およびその装置を提供する。。【解決手段】  印刷機を使って発注で指定された種類のテスト問題解答用紙を当該発注でカラーの部数として指定された部数だけ印刷する。印刷機を使って指定された種類のテスト問題解答用紙を当該発注で指定されたモノクロの部数だけ印刷する。印刷したカラーテスト問題解答用紙とモノクロテスト問題解答用紙とを、上記発注元の教育機関に配送する。【選択図】図１
2017076177.tif 000002
【特許請求の範囲】
【請求項１】
解答を記入する解答欄を有するカラー解答用紙を注文に応じた枚数分印刷する第１の工程と、
前記カラー解答用紙と同じ解答欄を有する一色解答用紙を前記注文に応じた枚数分印刷する第２の工程と、
前記注文に応じて印刷した前記カラー解答用紙と前記一色解答用紙を前記注文の発行元に配送する手続を行う第３の工程と
を有する解答用紙提供方法。
【請求項２】
前記カラー解答用紙および前記一色解答用紙は、前記解答欄に対応付けて問題が印刷されている
請求項１に記載の解答用紙提供方法。
【請求項３】
解答を記入する解答欄を有するカラー解答用紙を印刷するカラー印刷手段と、
前記カラー解答用紙と同じ解答欄を有する一色解答用紙を印刷する一色印刷手段と、
注文に応じた枚数の前記カラー解答用紙と前記一色解答用紙を、前記カラー印刷手段および前記一色印刷手段に印刷させる制御手段と、
前記注文に応じて印刷した前記カラー解答用紙と前記一色解答用紙を前記注文の発行元に配送する手続を行う配送手段と
を有する解答用紙提供装置。
【請求項４】
前記カラー解答用紙および前記一色解答用紙は、前記解答欄に対応付けて問題が印刷されている
請求項３に記載の解答用紙提供装置。
【発明の詳細な説明】
【技術分野】
【０００１】
本発明は、学校等の教育機関に教科書、テスト問題用紙および解答用紙を印刷して提供する解答用紙提供方法およびその装置に関するものである。
【背景技術】
【０００２】
学校等の教育機関に教科書、テスト問題用紙および解答用紙を印刷して提供する事業がある。
このような事業では、教育機関からの要望に応じて、テスト問題を作成し、テスト開始日までに、テスト問題用紙および解答用紙を指定された生徒の数分だけ印刷し、配送している。
また、教育機関では、試験後に再試験をしたり、生徒自らが誤回答した箇所を復習のためにやり直す場合がある。このような場合に、教師が未記入の問題用紙や解答用紙をコピーして配布している。
【発明の概要】
【発明が解決しようとする課題】
【０００３】
ところで、教師が問題用紙や解答用紙をコピーをする手間、並びにコストを少なくしたいという要請がある。
【０００４】
本発明はかかる事情に鑑みてなされたものであり、その目的は、教育機関において再試験等のために解答用紙をコピーする手間、並びにコストを少なくできる解答用紙提供方法およびその装置を提供することにある。
【課題を解決するための手段】
【０００５】
上述した目的を達成するために、本発明の解答用紙提供方法は、解答を記入する解答欄を有するカラー解答用紙を注文に応じた枚数分印刷する第１の工程と、前記カラー解答用紙と同じ解答欄を有する一色解答用紙を前記注文に応じた枚数分印刷する第２の工程と、前記注文に応じて印刷した前記カラー解答用紙と前記一色解答用紙を前記注文の発行元に配送する手続を行う第３の工程とを有する。
【０００６】
好適には本発明の解答用紙提供方法の前記カラー解答用紙および前記一色解答用紙は、前記解答欄に対応付けて問題が印刷されている。
【０００７】
本発明の解答用紙提供装置は、解答を記入する解答欄を有するカラー解答用紙を印刷するカラー印刷手段と、前記カラー解答用紙と同じ解答欄を有する一色解答用紙を印刷する一色印刷手段と、注文に応じた枚数の前記カラー解答用紙と前記一色解答用紙を、前記カラー印刷手段および前記一色印刷手段に印刷させる制御手段と、前記注文に応じて印刷した前記カラー解答用紙と前記一色解答用紙を前記注文の発行元に配送する手続を行う配送手段とを有する。
【０００８】
好適には本発明の解答用紙提供装置の前記カラー解答用紙および前記一色解答用紙は、前記解答欄に対応付けて問題が印刷されている。
【発明の効果】
【０００９】
本発明によれば、教育機関において再試験等のために解答用紙をコピーする手間、並びにコストを少なくできる解答用紙提供方法およびその装置を提供することができる。
【図面の簡単な説明】
【００１０】
【図１】図１は、本発明の実施形態に係るテスト問題解答用紙提供方法を説明するためのフローチャートである。
【図２】図２は、本実施形態のテスト問題解答用紙提供装置の構成図である。
【発明を実施するための形態】
【００１１】
以下、本発明の実施形態に係る解答用紙提供方法およびその装置について説明する。
図１は、本発明の実施形態に係るテスト問題解答用紙提供方法を説明するためのフローチャートである。
当該テスト問題解答用紙提供方法は、例えば、教科書やテスト用紙等を制作・発行する企業が実施する。
当該企業は、学校等の教育機関と契約して教科書、テスト問題解答用紙（試験問題・解答用紙）等を当該教育機関に提供する。
【００１２】
以下、図１を参照してテスト問題解答用紙提供方法を説明する。
ステップＳＴ１：
教育機関から企業に対して、テスト問題解答紙の種類と、テスト問題解答用紙の部数を指定した発注が行われる。
当該指定には、カラーテスト問題解答用紙と、モノクロテスト問題解答用紙とをそれぞれの部数が示されている。
【００１３】
ステップＳＴ２：
企業は、印刷機を使ってステップＳＴ１の発注で指定された種類のテスト問題解答用紙を当該発注でカラーの部数として指定された部数だけ印刷する。
【００１４】
ステップＳＴ３：
企業は、印刷機を使ってステップＳＴ１の発注で指定された種類のテスト問題解答用紙を当該発注で指定されたモノクロの部数だけ印刷する。
【００１５】
ステップＳＴ４：
企業は、ステップＳＴ２で印刷したカラーテスト問題解答用紙と、ステップＳＴ３で印刷したモノクロテスト問題解答用紙とを、上記発注元の教育機関に配送する手続を行う。具体的には配送業者への連絡、配送伝票に作成、データベースへの入力等を行う。
なお、配送せずに、企業の担当者が教育機関に持参してもよい。
【００１６】
以上説明したように本実施形態のテスト問題解答用紙提供方法によれば、教育機関は、試験後に再試験をしたり、生徒自らが誤回答した箇所を復習のためにやり直す場合、企業から送られたモノクロテスト問題解答用紙を使用する。そのため、教育機関が未記入の問題用紙や解答用紙をコピーする必要がなく労力を軽減できる。
また、一般的に、教育機関におけるコピーに比べて、印刷業者による印刷の方が単価が安いのでコスト削減できる。
【００１７】
以下、図１に示すテスト問題解答用紙提供方法を実行するテスト問題解答用紙提供装置を説明する。
図２は、本実施形態のテスト問題解答用紙提供装置１１の構成図である。
図２に示すように、テスト問題解答用紙提供装置１１は、例えば、カラー印刷部２１、モノクロ印刷部２２、制御部２３および配送部２４を有する。
【００１８】
テスト問題解答用紙提供装置１１では、カラー印刷部２１が図１に示すステップＳＴ２の動作を実行する。
また、モノクロ印刷部２２がステップＳＴ３の動作を実行する。
制御部２３がステップＳＴ２、ＳＴ３の動作を制御する。
【００１９】
配送部２４がステップＳＴ４の手続を行う。
【００２０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２１】
例えば、上述した実施形態では、一色としてモノクロを例示したが、モノクロ以外の青や緑等の一色でもよい。
また、例えば、問題用紙と解答用紙が別の場合に、解答用紙のみを一色印刷するようにしてもよい。
【産業上の利用可能性】
【００２２】
教育機関等に解答用を提供する技術に適用可能である。
【符号の説明】
【００２３】
１１…テスト問題解答用紙提供装置
２１…カラー印刷部
２２…モノクロ印刷部
２３…制御部
２４…配送部
【図１】
2017076177.tif 000003
【図２】
2017076177.tif 000004